(57)【要約】【課題】ワイヤホルダー１００の後面の中間部分に内側へ凹んだ空間部１２０を形成し、ワイヤホルダーの後面に密着して組み立てる印刷回路基板２００の中間部分を調整ねじ３００を通じて加圧して、印刷回路基板を弧形状に変形させながらワイヤ３０を引っ張り、ボビン２０の位置を調整するように構成した光ピックアップアクチュエータに関する。【解決手段】印刷回路基板が動かないように固定された状態でワイヤを半田付けするので、ワイヤを正確な位置に固定させることができ、印刷回路基板の形象を変形させてワイヤを引っ張るか押しながら、ボビンの位置を調整するためコイルとマグネットとの間の空隙を調節して一定に維持するように構成する。【選択図】        図４
2005182977.tif 000002
【特許請求の範囲】
【請求項１】
一対のヨークが上方向に延長され、このヨークの向かい面には互いに対向するようにマグネットが附着した下敷プレートと、
前記下敷プレートの上部に位置し、一部分には対物レンズが備えられ、外面にはトラッキングコイルとフォーカシングコイルが巻線されるが、この巻線されたコイルが前記マグネットの間に配置されるように設置されたボビンと、
前記下敷プレートの上面の一部分に固定され、後面の中間部分には両端部より内側に凹んでいる空間部が形成され、空間部の中間には、ねじ締結溝が形成されたワイヤホルダーと、
前記ワイヤホルダーの後面に密着するように組み立てられ、中間部分にはねじ結合孔が貫通して形成された印刷回路基板と、
一部分は、前記ボビンの両側上部と下部にそれぞれ固定され、延長部分は前記ワイヤホルダーと印刷回路基板を貫通して印刷回路基板の後面に固定されて前記ボビンを弾性的に支持する多数のワイヤと、
前記印刷回路基板のねじ結合孔を貫通してワイヤホルダーのねじ締結溝に締結され、印刷回路基板の中間部分をワイヤホルダーの空間部内に加圧しながら印刷回路基板が弧形状に反るようにして、印刷回路基板の両端部がワイヤホルダーから開くように変形させる調整ねじと、また
前記弧形状に反った印刷回路基板の両端部とワイヤホルダーとの間の開いた空間に充填されてダンピングの役目をするゲルを含めてなることを特徴とする光ピックアップアクチュエータ。
【請求項２】
前記ワイヤホルダーの後面には、ねじ締結溝を中心として両側にそれぞれ組み立てボスが突出形成され、前記印刷回路基板には組み立てボスに対応する部分に組立て孔が貫通して形成され、組み立て孔は片側方向に沿って長空に形成されることを特徴とする請求項１に記載の光ピックアップアクチュエータ。
【請求項３】
前記調整ねじは、頭部が印刷回路基板を加圧することができるように構成され、調整ねじの組み立てが完了した後、調整ねじがはずれることを防止するために調整ねじの頭部が印刷回路基板にボンディング、または半田付けにより固定されることを特徴とする請求項１に記載の光ピックアップアクチュエータ。
【請求項４】
前記印刷回路基板の両端には、一部分を切開して上部と下部にそれぞれ弾性力を持つテンション部が一体に形成され、このテンション部にそれぞれの対応ワイヤが固定されることを特徴とする請求項１に記載の光ピックアップアクチュエータ。
【請求項５】
対物レンズを備えるボビンが多数のワイヤを通じて弾性支持され、このワイヤはワイヤホルダーを貫通して印刷回路基板に固定される光ピックアップアクチュエータにおいて、後面中間部分に両側面より内側に凹んでいる空間部が形成されたワイヤホルダーと、
前記ワイヤホルダーの後面に密着するように組み立てられ、両端部にはそれぞれ対応するワイヤが固定された印刷回路基板と、
前記印刷回路基板の中間部分をワイヤホルダーの空間部の方向に加圧して印刷回路基板が弧形状に反るようにすると共に、反った状態を維持することができるように固定する加圧手段とを含めてなることを特徴とする光ピックアップアクチュエータ。
【請求項６】
前記加圧手段は、印刷回路基板を貫通してワイヤホルダーに締結しながら、頭部を通じて印刷回路基板を加圧する調整ねじであることを特徴とする請求項５に記載の光ピックアップアクチュエータ。
【請求項７】
前記加圧手段は、印刷回路基板とワイヤホルダーを順次に貫通する調整ねじと、ワイヤホルダーの正面で調整ねじに締結するナットからなることを特徴とする請求項５に記載の光ピックアップアクチュエータ。
【請求項８】
前記加圧手段は、正面でワイヤホルダーと印刷回路基板を順次に貫通する調整ねじと、印刷回路基板の後面で調整ねじに締結するナットとからなることを特徴とする請求項５に記載の光ピックアップアクチュエータ。
【請求項９】
前記加圧手段は、印刷回路基板を別途のジグに加圧して印刷回路基板を弧形状に変形させた後、変形した形象を維持するように印刷回路基板とワイヤホルダーの一部分を相互間に固定させる接着剤であることを特徴とする請求項５に記載の光ピックアップアクチュエータ。
【請求項１０】
前記弧形状に反った印刷回路基板の両端部とワイヤホルダーとの間の開いた空間に、ダンピングの役目をするゲルが充填されていることを特徴とする請求項５に記載の光ピックアップアクチュエータ。
【請求項１１】
前記印刷回路基板の両端には、一部分を切開して上部と下部にそれぞれ弾性力を持つテンション部が一体に形成され、このテンション部にそれぞれの対応ワイヤが固定されることを特徴とする請求項５に記載の光ピックアップアクチュエータ。
【発明の詳細な説明】
【技術分野】
【０００１】
本発明は、光ピックアップアクチュエータに関するもので、更に詳しくはワイヤを組み立てて固定するホルダーと、印刷回路基板の構造を改善してワイヤを正確に半田付け固定することができ、ワイヤの位置調整を通じてマグネットとコイルとの間の空隙調整を可能にして空隙を一定に維持できるようにした光ピックアップアクチュエータに関するものである。
【背景技術】
【０００２】
一般的に光ピックアップとは、光記録再生装置のデッキに備えられた主軸と副軸に組み立てられ、軸方向に沿って往復移送しながら各種光ディスクに信号を記録しだり、光ディスクに収録された信号を再生する装置であって、普通、ピックアップベースとアクチュエータとに区分される。
【０００３】
ピックアップベースとは、光記録再生装置のデッキに備えられた主軸と副軸に直接に結合して軸方向に沿って往復移送するもので、その内部には光ビームを発散するレーザーダイオードと、レーザーダイオードから発散した光ビームを光ディスク方向に反射するビームスプリッタと、光ディスクから反射された光ビームを受信して、電気的な信号に変換させる光検出器が取り付けられる。アクチュエータは、ピックアップベースの上面に流動可能に取り付けられ、ベースと共に移動しながら対物レンズを通じて光ビームを光ディスクの一点に集光する役割を果す。
【０００４】
光ピックアップアクチュエータにおいて、スリム型やモバイル型の場合には、その構造的な特性からして対物レンズと駆動力の中心点が異なって構成されているため、副共振が頻繁に発生する。実際に、量産時に副共振不良による問題が深刻であるため、これに対する対策が求められている実情である。
【０００５】
勿論、このような副共振不良を改善するために磁気的減殺装置や機械的減殺装置など、さまざまな方法を使うことができるが、実際に多用されている方法としては、ワイヤホルダーと印刷回路基板との間にゲルを添加して副共振を減殺させる方法が適用されている。
【０００６】
添付された図１と図２にはゲルを添加して副共振を減殺する方法が適用された従来の一般的な光ピックアップアクチュエータの一例が図示されている。これを参照すれば、従来の光ピックアップアクチュエータは、対物レンズ２２を備えるボビン２０が下敷プレート１０上でフォーカシング即ち上下方向と、トラッキング即ち左右方向に微細な位置調整ができるように取り付けられる。
【０００７】
下敷プレート１０の上面前方には、所定の間隔を置いて互いに対向するように向かい合う一対ヨーク１２が上方向に延長形成され、該一対のヨーク１２には互いに対向する面にそれぞれ永久磁石のマグネット１４が対称になるように付着される。
【０００８】
また、下敷プレート１０の上面後方にはワイヤホルダー４０が固定的に取り付けられ、ワイヤホルダー４０の後面には印刷回路基板５０が密着固定される。印刷回路基板５０の両側端には、上部と下部にそれぞれテンション部５４が形成され、このテンション部５４は多数の切開溝５２を通じて弾性可能に備えられる。
【０００９】
そしてワイヤホルダー４０の後面には、印刷回路基板５０のテンション部５４に対応する部分に相対的に溝が形成され、該溝を通じてワイヤホルダー４０とテンション部５４との間に副共振を減殺するためにダンピングの役割を果すゲル６０が充填される。
【００１０】
ボビン２０は、内部が貫通して形成されたほぼ四角枠の形象を有しており、前方にはトラッキングコイル２４が巻線され、外側周囲には側面に沿ってフォーカシングコイル２６が巻線される。このようなボビン２０は、下敷プレート１０の上部でワイヤ３０を通じて微細な駆動が可能なように取り付ける。
【００１１】
即ち、ボビン２０の両側には上部と下部にそれぞれワイヤ３０が半田付けによって繋がっており、該ワイヤ３０は水平に延長されてワイヤホルダー４０を貫通した後、ワイヤホルダー４０の後方に附着した印刷回路基板５０の対応するテンション部５４に半田付けによって固定される。
【００１２】
従って、ボビン２０は総４本のワイヤ３０を通じて弾性支持されて、上下または左右に微細に駆動することが可能となる。この時、ボビン２０はトラッキングコイル２４とフォーカシングコイル２６が下敷プレート１０に備えられたマグネット１４の間に位置するように取り付けられるが、ここでマグネットとコイルとの間の空隙は一定に維持することが重要である。
【００１３】
このように構成された従来の光ピックアップアクチュエータの作動を簡略に説明すれば、印刷回路基板５０に供給された電流がワイヤ３０を通じてフォーカシングコイル２６またはトラッキングコイル２４に印加されれば、電流の流れによってコイルとマグネット１４との間の電磁気力によってボビン２０が駆動しながら対物レンズ２２がフォーカシングまたはトラッキング方向に調整される。
【００１４】
このように構成及び作動する従来の光ピックアップアクチュエータは、ワイヤを印刷回路基板のテンション部に半田付けによって固定する作業が容易ではなく、マグネットとコイルとの間の空隙を一定に維持するには問題があった。このような問題を更に詳しく説明するために、添付された図３を参照してワイヤの位置調整及び固定方法を説明すれば次の通りである。
【００１５】
従来、光ピックアップアクチュエータを組み立てる時、まずボビン２０の側面上部と下部にそれぞれ対応するワイヤ３０の一端を半田付けにより接合して固定した後、このワイヤ３０の他端がワイヤホルダー４０とゲル６０と印刷回路基板５０とを順次に貫通するように組み立てる。
【００１６】
その後、ボビン２０の位置を調整してボビン２０に備えられているコイルと下敷プレート１０に備えられているマグネット１４との間に一定の空隙を維持し、ボビン２０の位置が調整された状態でワイヤ３０を印刷回路基板５０に形成されたテンション部５４に半田付けにより固定する。
【００１７】
ところが、このように総４本のワイヤをそれぞれ対応する印刷回路基板のテンション部に半田付けにより固定する時、印刷回路基板に形成されたテンション部の弾性のため、図３の仮想線に図示したように位置固定が正確になされずに揺れるという問題点があった。
【００１８】
また、半田付けする時にテンション部の振動だけではなく、総４ヶ所で半田付けが凝固する時差によって、ワイヤが正確な位置に固定されない場合が頻繁に発生するという問題点があった。このように総４本のワイヤがそれぞれ対応するテンション部に半田付けにより固定されることでその位置上の誤差が発生し、これによりワイヤを通じて支持されるボビンの位置が変形してコイルとマグネットとの間に空隙の変動が発生するという問題点があった。
【００１９】
一方、大韓民国特許公開第１９９９―４８５４０号に、ホルダーと印刷回路基板の間にゲルを添加し、副共振を減殺させる光ピックアップ装置の一例が提示されているが、上記のような問題が生じる。
【００２０】
【特許文献１】大韓民国特許公開第１９９９―４８５４０号公報
【発明の開示】
【発明が解決しようとする課題】
【００２１】
本発明は上述したように諸般問題を解決するために案出されたもので、その目的は、ワイヤが印刷回路基板のテンション部に半田付けにより固定される時テンション部がまったく揺れないようにすることで、ワイヤを正確な位置に固定できるようにした光ピックアップアクチュエータを提供することにある。
【００２２】
本発明の他の目的は、ワイヤを印刷回路基板のテンション部に固定した後に印刷回路基板のテンション部の位置を変形させてワイヤの位置を調整するようにして、コイルとマグネットとの間の空隙をいつも一定に維持できるようにした光ピックアップアクチュエータを提供することにある。
【００２３】
本発明のまた他の目的は、コイルとマグネットとの間の空隙を自由で、かつ精密に調節できるようにすることで、副共振不良をとり除いた光ピックアップアクチュエータを提供することにある。
【課題を解決するための手段】
【００２４】
前記目的及び他の目的を果たすための本発明による光ピックアップアクチュエータは、一対のヨークが上方向に延長され、このヨークが向き合う面には互いに対向するようにマグネットが附着した下敷プレートと、前記下敷プレートの上部に位置し、一部分には対物レンズが備えられ、外面にはトラッキングコイルとフォーカシングコイルが巻線されるが、この巻線されたコイルが前記マグネットの間に配置されるように設置されたボビンと、前記下敷プレートの上面の一部分に固定され、後面の中間部分には両端部より内側に凹んでいる空間部が形成され、空間部の中間には、ねじ締結溝が形成されたワイヤホルダーと、前記ワイヤホルダーの後面に密着するように組み立てられ、中間部分にはねじ結合孔が貫通して形成された印刷回路基板と、一部分は、前記ボビンの両側上部と下部にそれぞれ固定され、延長部分は前記ワイヤホルダーと印刷回路基板を貫通して印刷回路基板の後面に固定されて前記ボビンを弾性的に支持する多数のワイヤと、前記印刷回路基板のねじ結合孔を貫通してワイヤホルダーのねじ締結溝に締結され、印刷回路基板の中間部分をワイヤホルダーの空間部内で加圧しながら、印刷回路基板が弧形状に反るようにして、印刷回路基板の両端部がワイヤホルダーから離れるように変形させる調整ねじと、及び前記弧形状に反った印刷回路基板の両端部とワイヤホルダーとの間の開かれた空間に充填されてダンピングの役目をするゲルを含めてなることを特徴とする。
【００２５】
ここで、前記ワイヤホルダーの後面には、ねじ締結溝を中心に両側にそれぞれ組み立てボスが突出して形成され、前記印刷回路基板には組み立てボスに対応する部分に組立て孔が貫通して形成され、組み立て孔は片側方向に沿って長空に形成される。
【００２６】
そして、前記調整ねじは、頭部が印刷回路基板を加圧することができるように構成され、調整ねじの組み立てが完了した後、調整ねじがはずれることを防止するために調整ねじの頭部が印刷回路基板にボンディングまたは半田付けにより固定される。
【００２７】
そして、前記印刷回路基板の両端には一部分を切開して上部と下部にそれぞれ弾性力を持つテンション部が一体化して形成され、該テンション部のそれぞれに対応するワイヤが固定される。
【００２８】
また、前記目的及び他の目的を果たすための本発明による光ピックアップアクチュエータは、対物レンズを備えるボビンが多数のワイヤを通じて弾性支持され、このワイヤはワイヤホルダーを貫通して印刷回路基板に固定される光ピックアップアクチュエータにおいて、後面中間部分に両側面より内側に凹んでいる空間部が形成されたワイヤホルダーと、ワイヤホルダーの後面に密着するように組み立てられ、両方端部にはそれぞれ対応するワイヤが固定された印刷回路基板と、印刷回路基板の中間部分をワイヤホルダーの空間部の方向に加圧して印刷回路基板が弧形状に反るようにすると共に、反った状態を維持できるように固定する加圧手段とからなる。
【００２９】
ここで、前記加圧手段は、印刷回路基板を貫いてワイヤホルダーに締結されながら、頭部を通じて印刷回路基板を加圧する調整ねじであることを特徴とする。また、前記加圧手段は、印刷回路基板とワイヤホルダーを順次に貫く調整ねじと、ワイヤホルダーの正面で調整ねじに締結されるナットとからなることを特徴とする。
【００３０】
また、前記加圧手段は、正面でワイヤホルダーと印刷回路基板とを順次に貫通する調整ねじと、印刷回路基板の後面で調整ねじに締結するナットとからなることを特徴とする。
【００３１】
また、前記加圧手段は、印刷回路基板を別途のジグに加圧して印刷回路基板を弧形状に変形させた後、変形した形象を維持するように印刷回路基板とワイヤホルダーの一部分を相互間に固定させる接着剤であることを特徴とする。
【００３２】
そして、前記弧形状に反った印刷回路基板の両端部とワイヤホルダーとの間の開かれた空間にダンピングの役目をするゲルが充填される。そして、前記印刷回路基板の両端には、一部分を切開して上部と下部にそれぞれ弾性力を持つテンション部が一体化して形成され、該テンション部にそれぞれ対応するワイヤが固定される。
【００３３】
上述した本発明の目的は、添付された図面を参照して後述する本発明の望ましい実施例から更に明らかになる。
【発明の効果】
【００３４】
本発明によると、印刷回路基板のテンション部が動かないように固定された状態でワイヤを半田付けするので、ワイヤを正確な位置に半田付け固定できる効果がある。また、本発明はワイヤを先に固定した後、印刷回路基板の形象を変形させてワイヤを引っ張るか、押しながらボビンの位置を精密に調整するため、ボビンに備えられたコイルと下敷プレートに備えられたマグネットとの間の空隙を精密に調整することができるため、最適な空隙状態を維持することができる効果がある。
【００３５】
また、本発明はゲルを投入した後、副共振を測定する時に、ボビンの位置を精密に調整することができるため、副共振の量を適正水準以下に調節することができ、従って、発生する副共振不良を大部分修理できる効果がある。
【発明を実施するための最良の形態】
【００３６】
以下、添付された図面を参照して本発明に対して詳しく説明すれば次の通りである。従来と等しい構成部品に対しては、従来と等しい符号と名称を使って説明する。
【００３７】
添付された図４は、本発明による光ピックアップアクチュエータを後方から示した分離斜視図で、図５は本発明による光ピックアップアクチュエータの平面図であり、図６は本発明の技術によるワイヤの固定及び位置調整方法を説明するために示した組み立て工程図である。
【００３８】
これを参照すれば、本発明による光ピックアップアクチュエータは、対物レンズ２２を備えるボビン２０が下敷プレート１０の上部でフォーカシング即ち上下方向と、トラッキング即ち左右方向に微細に位置調整可能に取り付けられる。
【００３９】
下敷プレート１０の上面前方には、所定の間隔を置いて互いに対向するように向き合う一対のヨーク１２が上方向に延長形成され、この一対のヨーク１２には互いに向き合う面にそれぞれ永久磁石であるマグネット１４が対称になるように附着される。
【００４０】
ボビン２０は、内部が貫通して形成され、ほぼ四角枠の形象を有しており、その前方にはトラッキングコイル２４が巻線され、外側まわりには側面に沿ってフォーカシングコイル２６が巻線される。そして、ボビン２０は下敷プレート１０の上部で多数のワイヤ３０を通じて微細な駆動が可能に取り付けられる。
【００４１】
ここで、ボビン２０はトラッキングコイル２４とフォーカシングコイル２６が巻線された部分が、下敷プレート１０に備えられているマグネット１４の間に位置するように取り付けられ、この時マグネットとコイルとの間の空隙は一定に維持されなければならない。
【００４２】
ワイヤ３０を通じてボビン２０が弾性支持される方法を更に詳しく説明すれば、ボビン２０の両側上部と下部にはそれぞれワイヤ３０が半田付けにより繋がっており、このワイヤ３０の延長部はワイヤホルダー１００を貫いて印刷回路基板２００に半田付けにより固定される。
【００４３】
このようにボビン２０は、総４本のワイヤ３０を通じて微細な駆動が可能なように弾性支持される。そしてワイヤ３０を前後方向に位置調整すれば、ボビン２０の位置も前後方向に変更される。ワイヤホルダー１００は、下敷プレート１０の上面に固定的に取り付けられる。
【００４４】
そしてワイヤホルダー１００の両側上部と下部には、それぞれワイヤ３０が貫通するようにワイヤ貫通孔１１０が形成され、その後面には中間部分に両端部より内側に凹んでいる空間部１２０が形成される。そして空間部１２０の中間には、ねじ締結溝１３０が形成され、空間部１２０の両側端には組み立てボス１４０が後方向に突出して形成される。印刷回路基板２００は、ワイヤホルダー１００の後面に組み立てる。
【００４５】
印刷回路基板２００の中間部分にはワイヤホルダー１００のねじ締結溝１３０に対応する位置に、後述する調整ねじが結合されるねじ結合孔２１０が貫通して形成される。そしてねじ結合孔２１０を中心として、両方にはワイヤホルダー１００の組み立てボス１４０に対応する位置に組立て孔２２０が形成される。この時、組立て孔２２０は印刷回路基板２００が組み立てボス１４０に沿って動くように、片側方向に沿って長空に形成されることが望ましい。
【００４６】
また、印刷回路基板２００の両端部には、一部分を切開して形成された多数の切開溝２３０を通じて、上部と下部にそれぞれ弾性力を持つテンション部２４０が一体化して形成される。そしてそれぞれのテンション部２４０には、ワイヤホルダー１００のワイヤ貫通孔１１０に対応する位置にワイヤ３０を挿入して結合されるワイヤ結合孔２４２が貫通して形成される。
【００４７】
本発明によれば、印刷回路基板２００のねじ結合孔２１０を貫いてワイヤホルダー１００のねじ締結溝１３０に締結するように調整ねじ３００が組み立てられる。調整ねじ３００は、ねじ締結溝１３０に締結される時、その頭部が印刷回路基板２００を加圧し、該加圧力によって印刷回路基板２００の中間部分がワイヤホルダー１００の空間部１２０に反ったまま入るようになる。そうすると、印刷回路基板は弧形状に反りながら、その両端部がワイヤホルダー１００から遠ざかる方向に離れるように変形する。
【００４８】
従って、本発明は調整ねじ３００が締結される長さに沿って、印刷回路基板２００の反りの程度に差が発生し、反りの程度が大きければ大きいほど印刷回路基板２００のテンション部２４０に固定されているワイヤ３０は後方に少しずつ引かれることになり、それだけボビン２０、または後方に移動するようになる。
【００４９】
これによりボビン２０のコイルと下敷プレート１０のマグネット１４との間の空隙を調整することが可能となる。勿論、印刷回路基板２００の反りの程度は、コイルとマグネットとの間の空隙が一定に維持される位置で制御することが望ましいと言える。
【００５０】
ここで、調整ねじ３００の締結が完了した後、調整ねじがはずれることを防止するために、調整ねじの頭部が印刷回路基板２００にボンディングまたは半田付けにより固定されることが望ましい。本発明によれば、弧形状に反った印刷回路基板２００の両端部とワイヤホルダー１００との間の開かれた空間には、ダンピングの役割を果す通常のゲル６０が充填される。
【００５１】
このように構成された本発明の組み立て関係を説明すれば次の通りである。まず、ボビン２０の両側上部と下部にそれぞれ総4本のワイヤ３０を半田付けで連結する。そして下敷プレート１０の上面にワイヤホルダー１００を固定した後、ワイヤホルダー１００の後面に印刷回路基板２００を組立てる。
【００５２】
即ち、ワイヤホルダー１００の後面に形成された組み立てボス１４０が、印刷回路基板２００の組立て孔２２０に挟まれるように、印刷回路基板２００をワイヤホルダー１００の後面に密着させた後、調整ねじ３００を印刷回路基板２００のねじ結合孔２１０を貫通してワイヤホルダー１００のねじ締結溝１３０に締結させる。この時、調整ねじ３００は印刷回路基板２００を加圧する前まで締結する。
【００５３】
その後、ボビン２０に繋がっているワイヤ３０の延長部をワイヤホルダー１００を貫いて印刷回路基板２００の対応テンション部２４０に半田付けにより固定する。この時、ボビン２０のトラッキングコイル２４とフォーカシングコイル２６が、下敷プレート１０に備えられた一対のマグネット１４の間に位置するようにボビン２０を取りつける。
【００５４】
それから、図６に図示したように調整ねじ３００をゆっくり締めながら印刷回路基板２００が弧形状に反るようにして、印刷回路基板２００の両側端即ち、テンション部２４０に固定されたワイヤ３０を後方に引っぱる。そうすると、ワイヤ３０と共にボビン２０が後方に移動する。勿論、ボビン２０が移動してトラッキングまたはフォーカシングコイル部分が下敷プレート１０のマグネット１４の間で一定の空隙を維持することになれば、調整ねじ３００を締める作業を止めれば良い。
【００５５】
そしてボビン２０の位置調整を完了すれば、ワイヤホルダー１００と印刷回路基板２００のテンション部２４０との間に開放された空間には、ダンピングの役目をするゲル６０を充填し、すべての作業が完了すれば最後に調整ねじ３００の頭部を半田付け、またはボンディングで印刷回路基板２００に固定する。
【００５６】
このように構成して組み立てられた本発明による光ピックアップアクチュエータの駆動を簡略に説明すれば次の通りである。本発明による光ピックアップアクチュエータは、印刷回路基板２００に供給された電流が、ワイヤ３０を通じてフォーカシングコイル２６またはトラッキングコイル２４に印加されると、電流の流れに従いコイルとマグネット１４との間の電磁気力によってボビン２０が駆動しながら対物レンズ２２がフォーカシングまたはトラッキング方向に微細に調整される。
【００５７】
このように構成されて作動する本発明による光ピックアップアクチュエータはさまざまな作用効果を持つようになる。まず、本発明はボビンに繋がっているそれぞれのワイヤが対応する印刷回路基板のテンション部に半田付けにより固定される時、テンション部がワイヤホルダーの後面に完全密着した状態で動かないので、半田付け作業が正確な位置で可能となる。
【００５８】
また、本発明は、ワイヤを先に印刷回路基板に半田付けで固定させた後、調整ねじを締めながらワイヤを引っぱり、ボビンの位置を調整するためボビンに備えられたトラッキングまたはフォーカシングコイルと、下敷プレートに備えられたマグネットとの間に一定の空隙を維持することができるようになる。のみならず、組み立て上で空隙の位置が誤って変更され、空隙散布が発生した場合には再び調整ねじをはずし、締めながらボビンの位置を変更させて空隙の位置を精密に再調整することができるという長所がある。
【００５９】
また、本発明は、ワイヤホルダーと印刷回路基板との間にゲルを投入した後、副共振を測定する時に、ワイヤホルダーと印刷回路基板との間の有隔を調節してボビンの位置を精密に調整することができるため、副共振の量を適正水準以下で調節することができ、従って、発生する副共振不良を大部分修理することができるようになる。
【００６０】
一方、前記本発明による実施例では、調整ねじを利用して印刷回路基板の中間部分を加圧し、印刷回路基板が弧形状に反るように構成したが、これは一つの実施例に過ぎず、本発明は印刷回路基板の中間部分を加圧して印刷回路基板を弧形状に変形及び変形状態を維持させることができる加圧手段があればいずれの方法でも適用可能である。
【００６１】
添付された図７ないし図９には本発明で印刷回路基板を加圧する手段の他の実施例が図示されており、前記一実施例に比べ互いに異なっている点のみを説明すれば次の通りである。
【００６２】
まず、図７を参照すれば、本発明に適用可能な印刷回路基板の加圧手段は、調整ねじ３００−１が印刷回路基板２００の後方に印刷回路基板２００とワイヤホルダー１００を順次に貫通するように結合され、ワイヤホルダー１００の正面でナット３１０を調整ねじ３００−１に締結してナット３１０をはずし、締めながら印刷回路基板２００を加圧するように構成することができる。
【００６３】
勿論、ナット３１０をワイヤホルダー１００に半田付けまたはボンディングで先に固定した後、印刷回路基板２００とワイヤホルダー１００を順次に貫通した調整ねじ３００−１をナット３１０に締結してはずし、締めながら印刷回路基板２００を加圧するように構成することもできる。そしてねじ締結が完了した後には、ねじが緩むことを防止するために、ねじ頭部を印刷回路基板にボンディングまたは半田付けで固定する必要がある。
【００６４】
次に図８を参照すれば、本発明に適用可能な印刷回路基板の加圧手段は、調整ねじ３００−１がワイヤホルダー１００の前方でワイヤホルダー１００と印刷回路基板２００を順次に貫通するように結合し、印刷回路基板２００の後面でナット３１０を調整ねじ３００−１に締結してナット３１０をはずし、締めながら印刷回路基板２００を加圧するように構成することができる。
【００６５】
勿論、ナット３１０を印刷回路基板２００に半田付け、またはボンディングで先に固定した後、ワイヤホルダー１００と印刷回路基板２００を順次に貫いた調整ねじ３００−１をナット３１０に締結してはずし、締めながら印刷回路基板２００を加圧するように構成することもできる。そしてねじ締結が完了した後には、ねじが緩むことを防止するために、ねじ頭部をワイヤホルダーにボンディングまたは半田付けで固定する必要がある。
【００６６】
次に図９を参照すれば、本発明に適用可能な印刷回路基板の加圧手段は、図示されていない別途のジグを通じて印刷回路基板２００を加圧した後、印刷回路基板が反った状態で印刷回路基板２００とワイヤホルダー１００の一部分をボンドなどの接着剤３００−２で固定するように構成することもできる。
【００６７】
一方、本発明に適用可能な印刷回路基板加圧手段は、上述した実施例外にも図示されていないが、通常のニップル（ｎｉｐｐｌｅ）のような原理を適用することもできる。一方、本発明による光ピックアップアクチュエータはすべての種類の光ピックアップ装置及び光記録再生装置に適用することができる。
【産業上の利用可能性】
【００６８】
本発明は、印刷回路基板のテンション部が動かないように固定された状態でワイヤを半田付けするので、ワイヤを正確な位置に半田付け固定することができる効果がある。また、本発明はワイヤを先に固定した後、印刷回路基板の形象を変形させてワイヤを引っ張るか、押しながらボビンの位置を精密に調整するためボビンに備えられたコイルと、下敷プレートに備えられたマグネットとの間の空隙を精密に調整することができ、従って、最適の空隙状態を維持することができる効果がある。
【００６９】
また、本発明はゲルを投入した後、副共振を測定する時にボビンの位置を精密に調整することができるため、副共振の量を適正水準以下に調節することができ、従って、発生する副共振不良を大部分修理できる効果がある。以上本発明の好適な一実施態様について説明したが、前記実施態様に限定されず、本発明の技術思想に基づいて種々の変形が可能である。
【図面の簡単な説明】
【００７０】
【図１】図１は従来の光ピックアップアクチュエータを後方から示した分離斜視図。
【図２】図２は従来の光ピックアップアクチュエータの平面図。
【図３】図３は従来の技術によるワイヤの位置調整及び固定方法を説明するために示した組み立て工程図。
【図４】図４は本発明による光ピックアップアクチュエータを後方から示した分離斜視図。
【図５】図５は本発明による光ピックアップアクチュエータの平面図。
【図６】図６は本発明の技術によるワイヤの固定及び位置調整方法を説明するために示した組み立て工程図。
【図７】図７は本発明による光ピックアップアクチュエータで印刷回路基板を加圧する手段の他の実施例を示した平面図。
【図８】図８は本発明による光ピックアップアクチュエータで印刷回路基板を加圧する手段のまた他の実施例を示した平面図。
【図９】図９は本発明による光ピックアップアクチュエータで印刷回路基板を加圧する手段のまた他の実施例を示した平面図。
【符号の説明】
【００７１】
１０  下敷プレート                    １２  ヨーク
１４  マグネット                      ２０  ボビン
２２  対物レンズ                      ２４  トラッキングコイル
２６  フォーカシングコイル            ３０  ワイヤ
６０  ゲル                            １００  ワイヤホルダー
１１０  ワイヤ貫通孔                  １２０  空間部
１３０  ねじ締結溝                    １４０  組み立てボス
２００  印刷回路基板                  ２１０  ねじ結合孔
２２０  組立て孔                      ２３０  切開溝
２４０  テンション部                  ２４２  ワイヤ結合孔
３００  調整ねじ                      ３００−１  調整ねじ
３００−２  接着剤                    ３１０  ナット
【図１】
2005182977.tif 000003
【図２】
2005182977.tif 000004
【図３】
2005182977.tif 000005
【図４】
2005182977.tif 000006
【図５】
2005182977.tif 000007
【図６】
2005182977.tif 000008
【図７】
2005182977.tif 000009
【図８】
2005182977.tif 000010
【図９】
2005182977.tif 000011